(57)【要約】【課題】大小粒の不揃い度や滑りの良し悪しなど、飼料の如何に関わらず、ホッパ内にブリッジが発生するのを完全に防止すると共に、底皿ヘ送り出す餌送給量を適確に微調整する。【解決手段】ブリッジ防止手段１４は、飼料ガイド部２１の内壁面２１ａに合わせて逆円錐台状をなし、吊り棒１２を中心に貫挿して吊持する本体のブリッジ盤３０と、外周縁に複数の切欠き３１を周方向に間隔をあけて設け、ブリッジ盤の外周に鍔状に巻装した上方の第１調整リング３５と、第１調整リングの切欠き位置とは周方向にずらして外周縁に複数の切欠き３２を間隔をあけて設け、第１調整リングの下方でブリッジ盤の外周に巻装した第２調整リング４０とを備え、上下調整リングの外周縁をそれぞれ飼料ガイド部の内壁面に近接させ、その内壁面との間に粒状飼料の粒径に合わせた僅かな間隙Ｄを開けてブリッジ盤を飼料ガイド部内に配設する。【選択図】          図１
2008263786.tif 000002
【特許請求の範囲】
【請求項１】
ホッパ内に横架した支持棒で吊持する吊り棒の下端部に起動部材を固定し、該起動部材が底皿上で家畜に押されると、前記ホッパの漸次下向きに縮径した飼料ガイド部内でブリッジ防止手段を一体に動かし、該ブリッジ防止手段で飼料を流動させながら落下させて前記底皿へ送給する一方、前記支持棒に餌量調節手段を連結し、該餌量調節手段で前記支持棒を動かして前記ブリッジ防止手段を前記吊り棒と一体に上下に微動させることにより、前記底皿へ送り出す飼料の送給量を微調節する家畜用給餌器であって、
前記ブリッジ防止手段は、
前記飼料ガイド部の内壁面に合わせて逆円錐台状をなし、前記吊り棒を中心に貫挿して吊持する本体のブリッジ盤と、
外周縁に複数の切欠きを周方向に間隔をあけて設け、前記ブリッジ盤の外周に鍔状に巻装した上方の第１調整リングと、
該第１調整リングの切欠き位置とは周方向にずらして外周縁に複数の切欠きを間隔をあけて設け、前記第１調整リングの下方で前記ブリッジ盤の外周に巻装した第２調整リングと、を備え、
上下の前記調整リングの外周縁をそれぞれ前記飼料ガイド部の内壁面に近接させ、その内壁面との間に粒状飼料の粒径に合わせた僅かな間隙を開けて前記ブリッジ盤を前記飼料ガイド部内に配設してなることを特徴とする、家畜用給餌器。
【請求項２】
請求項１に記載の家畜用給餌器において、下方の前記第２調整リングには、上方の前記第１調整リングの切欠きの数より少ない数の切欠きを設けてなることを特徴とする、家畜用給餌器。
【請求項３】
請求項１又は２に記載の家畜用給餌器において、前記ブリッジ防止手段は、前記吊り棒でそれと一体に揺動自在に吊持してなることを特徴とする、家畜用給餌器。
【発明の詳細な説明】
【技術分野】
【０００１】
本発明は、仔豚等の家畜に飼料を与えるのに好適な家畜用給餌器に関する。
【背景技術】
【０００２】
従来、この種の家畜用給餌器は、大型の樹脂製ホッパにおいて、飼料が投入される円筒部の下側に、漸次下向きに縮径した上下逆円錐型の飼料ガイド部を設け、飼料供給時は、円筒部内に投入した飼料を、飼料ガイド部を通して底皿へ落下させて送給している。ところが、ホッパの下側を飼料ガイド部で漸次下向きに幅狭に形成するので、そのように重力で飼料を落下させるものにあっては、飼料ガイド部で飼料が詰まってブリッジ状になり易く、ホッパ下端の餌排出口から飼料が排出されない虞があった。
【０００３】
そこで、従来の家畜用給餌器では、図８に示すように、ホッパ１内の上部側に支持棒２を横架し、支持棒２に吊り棒３の上端をクランク４を介して軸回転自在に連結する一方、吊り棒３は、Ｔ型の下端棒部３ａを底皿５上の餌量調節パイプ１ａの上部に連結して垂下すると共に、中途部から斜め上向きに丸棒３ｂを固着してホッパ１の飼料ガイド部１ｂ内にブリッジ防止手段Ａを枝状に配設し、例えば仔豚が食餌するときに鼻や口で触って起動部材６を押すと、吊り棒３が回転し、それと一体にブリッジ防止手段Ａが回動することによってホッパ１内の中心周りで飼料を撹拌しながら、餌量調節パイプ１ａを通して落下させて下端の餌排出口７から底皿５上へ送給するようにしている。
【０００４】
一方で、この従来の家畜用給餌器は、支持棒２の一端軸部２ａを軸受部材８でホッパ１に回転自在に軸支する一方、他端軸部２ｂをホッパ１の周壁を貫通させて餌量調節手段Ｓを連結し、餌量調節手段Ｓを操作して餌送給量を調節するときは、ハンドル９を持って支持棒２を回動して吊り棒３を上下移動させることにより、餌排出口７の開口量を調整して底皿５への餌送給量を微調節していた。
【特許文献１】登録実用新案第３０１９０３７号公報
【発明の開示】
【発明が解決しようとする課題】
【０００５】
しかし、上述のような従来の家畜用給餌器では、飼料供給時、ホッパ１内において、ブリッジ防止手段Ａによって飼料ガイド部１ｂの中心周りにある飼料だけをかき混ぜて落す構成であるため、確かに飼料ガイド部１ｂの中心付近にある飼料は、撹拌されて落下するが、特に使用する飼料が、例えば大小粒の不揃いな地場食用廃品を配合して発酵させた飼料で、湿り気のある滑りの悪い自家製配合飼料である場合には、図９に示すように、飼料ガイド部１ｂの内壁面１ｃ寄りにある飼料は、内壁面１ｃに付着したまま滑り落ちず、依然としてブリッジ状に残留するため、結局、ブリッジの発生を確実には防止できない、という課題があった。
【０００６】
他方、国内の家畜用給餌器では、最近、飼料として、家畜に対する栄養素など数々の点に配慮し、例えば図１０に示すように、予め細かく砕いて配合した魚粉など顆粒状や粉状の餌ａや、予め熱処理を施して粒度を揃えたペレット等の粒状の餌や、トウモトコシ等の大粒な餌ｂなど、大小粒の不揃いな各種飼料を配合し、反対に、いずれも乾燥した比較的滑りの良好な自家配合飼料も使用されている。
【０００７】
上述した従来の家畜用給餌器では、飼料供給時、この大小粒の不揃いな滑りやすい飼料がホッパ１内に投入されると、これら飼料は、飼料ガイド部１ｂを滑るように流れ落ちて餌量調節パイプ１ａを勢い良く落下し、その結果、餌排出口７から底皿５へ出過ぎることがある。そこで、この従来の家畜用給餌器では、餌量調節手段Ｓを操作し、図１１（Ａ）に示すように、餌排出口７の開口量ｄ１を調整して狭くし、餌排出口７から底皿５へ送り出す餌量を抑えると、餌量調節パイプ１ａ内に大粒の餌ｂが残り、それが家畜へ供給されない給餌不足状態になってしまう。そこで、同図（Ｂ）に示すように、反対に餌排出口７の開口量ｄ２を調整して広くすると、今度は、餌排出口７から飼料が多く零れ出て、無駄に出過ぎてしまい、結果として、餌排出口７から飼料を底皿５へ送り出す餌送給量の微調整が不能になるという、重大な課題があった。
【０００８】
そこで、本発明の目的は、大小粒の不揃い度や滑りの良し悪しなど、飼料の如何に関わらず、ホッパ内にブリッジが発生するのを完全に防止すると共に、底皿ヘ送り出す餌送給量を適確に微調整することができる家畜用給餌器を提供することにある。
【課題を解決するための手段】
【０００９】
上記した課題を解決すべく、請求項１に記載の発明は、たとえば以下に図１〜図７を用いて説明する実施の形態に示すとおり、ホッパ１０内に横架した支持棒１５で吊持する吊り棒１２の下端部に起動部材１３を固定し、該起動部材１３が底皿１８上で家畜に押されると、前記ホッパ１０の漸次下向きに縮径した飼料ガイド部２１内でブリッジ防止手段１４を一体に動かし、該ブリッジ防止手段１４で飼料を流動させながら落下させて前記底皿１８へ送給する一方、前記支持棒１５に餌量調節手段１６を連結し、該餌量調節手段１６で前記支持棒１５を動かして前記ブリッジ防止手段１４を前記吊り棒１２と一体に上下に微動させることにより、前記底皿１８へ送り出す飼料の送給量を微調節する家畜用給餌器であって、前記ブリッジ防止手段１４は、前記飼料ガイド部２１の内壁面２１ａに合わせて逆円錐台状をなし、前記吊り棒１２を中心に貫挿して吊持する本体のブリッジ盤３０と、外周縁に複数の切欠き３１…を周方向に間隔をあけて設け、前記ブリッジ盤３０の外周に鍔状に巻装した上方の第１調整リング３５と、該第１調整リング３５の切欠き位置とは周方向にずらして外周縁に複数の切欠き３２…を間隔をあけて設け、前記第１調整リング３５の下方で前記ブリッジ盤３０の外周に巻装した第２調整リング４０と、を備え、上下の前記調整リング３５・４０の外周縁をそれぞれ前記飼料ガイド部２１の内壁面２１ａに近接させ、その内壁面２１ａとの間に粒状飼料の粒径に合わせた僅かな間隙Ｄを開けて前記ブリッジ盤３０を前記飼料ガイド部２１内に配設してなることを特徴とする。
【００１０】
請求項２に記載の発明は、請求項１に記載の家畜用給餌器において、たとえば以下に図１〜図７を用いて説明する実施の形態に示すとおり、下方の前記第２調整リング４０には、上方の前記第１調整リング３５の切欠き３１…の数より少ない数の切欠き３２…を設けてなることを特徴とする。
【００１１】
請求項３に記載の発明は、請求項１又は２に記載の家畜用給餌器において、たとえば以下に図１〜図７を用いて説明する実施の形態に示すとおり、前記ブリッジ防止手段１４は、前記吊り棒１２でそれと一体に揺動自在に吊持してなることを特徴とする。
【発明の効果】
【００１２】
請求項１に記載の発明によれば、
（１）飼料供給時、ホッパ内に飼料を投入すると、それら飼料は、基本として、飼料ガイド部内で、その内壁面とブリッジ防止手段の外周間の間隙を流れ落ちて底皿上に送り出され、家畜へと供給されるが、このとき、使用する飼料が、大小粒の不揃いで湿った滑りの悪い種類の飼料であっても、ブリッジを発生し易いホッパの飼料ガイド部内に、その飼料ガイド部に合わせてブリッジ盤が上下逆円錐台状をなすブリッジ防止手段を配設した構成であるため、ホッパ内の何処にも飼料のブリッジを発生させる余地がなく、滑りの悪い飼料でも、すべて残らず、飼料ガイド部の内壁面とブリッジ防止手段の外周間の間隙を通して流れ落して底皿上へと送り出すことができる。
（２）また、ブリッジ防止手段は、上下の調整リングを飼料ガイド部の内壁面に近接させ、その内壁面に合わせて同じ上下逆円錐台状のブリッジ盤を飼料ガイド部に配設するため、ブリッジ防止手段の下方空間には、飼料が充満されることなく、常に空気層が形成され、この空気層により、湿気が上昇してホッパ内へ侵入するのを遮断し、これによって、夜間等の間に湿気が原因で飼料がホッパ内などで膨張し、例えば起動部材下端の餌出口近傍などで詰まるのを防止することができ、その結果、ホッパ内の飼料は、途中で詰まって滞ることなく、すべて落下して底皿上へ円滑に送り出すことができ、湿気による餌詰まりが原因で給餌不能になるのを防止することもできる。
（３）更に、ブリッジ防止手段は、外周縁に互いの切欠きを周方向にずらして設けた上下調整リングの外周縁を、それぞれ飼料ガイド部の内壁面に近接させ、その内壁面との間に、粒状飼料の粒径に合わせた僅かな間隙を開けて同じ上下円錐台状をなすブリッジ盤を、飼料ガイド部内に配設するため、ホッパ内に投入した飼料が、大小粒の不揃いで乾燥した滑りの良い飼料であっても、その不揃いな飼料が飼料ガイド部を通るとき、小粒な餌の一部は、途中で止まることなく、飼料ガイド部の内壁面とブリッジ防止手段間の間隙を一気にすり抜けて流れ落ちる一方、他の小粒な餌や大粒の餌の大半は、ブリッジ盤上から滑り落ちると、第１調整リングの切欠き間に有した鍔部上にいったん載ってから、切欠きを通って下方へ滑り落ち、次いで、第２調整リングの切欠き間に有した鍔部上に載っていったん止まってから、更に下方へ滑り落ち、そこで初めて底皿上へ落下する。その結果、ホッパ内に投入した飼料が、例え大小粒の不揃いな滑りやすい餌であっても、そのような飼料の如何に関わりなく、それら不揃いな飼料が飼料ガイド部を流れ落ちるとき、大半は、一気に流れ落ちるのではなく、ブリッジ防止手段の上下調整リングで落下速度を調整して遅らせることによって、下方の底皿へ送り出す餌送給量を適量に調整される。以上のように本発明では、飼料供給中に、ブリッジ防止手段の上下調整リングで飼料ガイド部を流れ落ちる飼料の落下速度を調整して遅らせ、底皿へ送り出す餌送給量を事前に調整してから、底皿上へ流れ落すのであって、従来の如く飼料ガイド部を飼料がすべて一気に滑るように餌排出口へ流れ落ちることがないため、餌量調節手段の操作で餌排出口の開口を狭めて餌送給量を少な目に調節すると、餌落下パイプ内に大粒の餌が残って仔豚へ給餌不足になる問題がなく、反対に、餌排出口の開口を大粒の飼料に合わせて広くして餌送給量を多目に調節すると、餌排出口から飼料が零れ出て、無駄に出過ぎしまう問題もなく、結果として、使用する飼料の大小粒の不揃い度や滑りの良し悪しなど、飼料の如何に関わらず、底皿へ送り出す飼料の送給量を自由に且つ適確に微調整することができる。
【００１３】
請求項２に記載の発明によれば、ブリッジ防止手段は、下方の第２調整リングに上方の第１調整リングの切欠きの数より少ない数の切欠きを設け、切欠き間の鍔部がより長く形成されるため、飼料供給時、投入飼料が、例えば小粒の餌群を含んでいても、それらがブリッジ盤上から、第１調整リングの切欠きを通って滑り落ちると、その多くは、第２調整リングの切欠き間に有した鍔部上にいったん載って止まってから下方へ滑り落ち、それから底皿上へと落下する。その結果、ホッパ内に投入した餌が大小粒の不揃いで滑りの良い飼料であっても、その不揃いな飼料が飼料ガイド部を流れ落ちるとき、途中で、ブリッジ防止手段の第２調整リングで受けて効果的に落下速度を遅らせ、底皿へ送り出す飼料の送給量をより一層効果的に調整することができる。
【００１４】
請求項３に記載の発明によれば、飼料供給時、家畜が食餌中に鼻や口で触って起動部材を押すと、それに従い、吊り棒がブリッジ防止手段と一体に振子のように揺動するため、家畜が食餌するとき、即ち、ブリッジ防止手段を揺すったときにだけ、飼料は飼料ガイド部の内壁面間の間隙を流れ落ちて家畜自身の下へ、無駄なく送り出すことができる。しかも、このとき、ブリッジ防止手段は、ブリッジ盤の上方に、例えば湿った滑りの悪い飼料の凝集飼料層（ブリッジ）が発生していても、揺れ動くブリッジ盤で、凝集飼料層を持ち上げて左右に揺すりながら破壊し、これによって、飼料を流動させて、飼料ガイド部の内壁面とブリッジ防止手段の外周間の間隙を通して流れ落して底皿上へ送り出すことができる。このように、ブリッジが発生し易いホッパの飼料ガイド部内に同じ上下逆円錐台状のブリッジ盤を配設したことと、そのブリッジ盤を揺すってブリッジを破壊しながら飼料を流れ落す相乗効果により、本発明では、使用飼料が、たとえブリッジを発生し易い湿った滑りの悪い餌であったとしても、そのような飼料の如何に関わりなく、飼料ガイド部内でブリッジ状に残留させず、すべて、下方の底皿上へと落下させてブリッジの発生を完全に防止することができる。
【発明を実施するための最良の形態】
【００１５】
以下、本発明を実施するための最良の形態を、図面を参照して詳細に説明する。
【００１６】
図１〜図７には、本発明の家畜用給餌器を実施するための最良の形態を示す。図示家畜用給餌器は、図１及び図２に示すように、ホッパ１０、餌落下パイプ１１、吊り棒１２、起動部材１３、ブリッジ防止手段１４、支持棒１５、餌量調節手段１６、給水部１７、底皿１８、仕切枠１９などで構成されている。
【００１７】
ホッパ１０は、樹脂製で、不図示の開閉蓋を開けて上部開口から飼料を投入する上側の円筒部２０と、円筒部２０の下縁から漸次下向きに縮径した上下逆円錐台状の飼料ガイド部２１とを有し、飼料ガイド部２１の下端に、縦長な餌落下パイプ１１を一体に接続し、格子状の支持枠２２に組み付けて立設してなる。餌落下パイプ１１は、上下に貫通した円筒体で、その下端部と起動部材１３間に餌排出口２５を形成してなる。
【００１８】
吊り棒１２は、それぞれ長尺な丸棒製の上吊り棒２３に下吊り棒２４を繋いでなる。上吊り棒２３は、上端部の端面にボルト頭部を溶接して外周に雄ねじ部２３ａを刻設する一方、下端部を鉤状に形成してなる。反対に、下吊り棒２４は、上端部を鉤状に形成する一方、下端部の端面にボルト頭部を溶接して外周に雄ねじ部２４ａを刻設してなる。
【００１９】
起動部材１３は、上下に貫通した円錐台形の筒本体１３ａを有し、筒本体１３ａの下端開口の中心に、放射状に組み付けた止め軸２６で受けナット２７を固持してなる。
【００２０】
ブリッジ防止手段１４は、金属板を用いて、飼料ガイド部２１の内壁面２１ａに合わせて上下逆円錐台状につくり、中心に上下に貫通する貫挿穴をあけた本体のブリッジ盤３０と、それぞれ細長い環状の金属板からなる第１調整リング３５および第２調整リング４０を備える。第１調整リング３５は、外周縁に複数の矩形な切欠き３１…を周方向に間隔をあけて設けた板状リングで、ブリッジ盤３０の外周上側に溶接して鍔状に巻装する。第２調整リング４０は、外周縁に複数の矩形な切欠き３２…を間隔をあけて設けた板状リングで、切欠き３２を、第１調整リング３５の切欠き位置とは周方向にずらして第１調整リング３５の下側でブリッジ盤３０の外周に溶接して鍔状に巻装してなる。そして、下方の第２調整リング４０には、上方の第１調整リング３５の切欠き３１の数より少ない数の切欠き３２が設けられている。
【００２１】
そこで、吊り棒１２は、上吊り棒２３の鉤状下端部に下吊り棒２４の鉤状上端部を掛止して組み立てる一方、下吊り棒２４をブリッジ盤３０の中心貫挿穴に貫挿させて、ブリッジ防止手段１４を下吊り棒２４に溶接で固定する。それから、吊り棒１２は、上吊り棒２３の雄ねじ部２３ａにナット２８を螺着し、ホッパ１０の円筒部２０内で横架する支持棒１５にＬ状連結板２９を介して連結することにより、軸周りに回転自在に支持棒１５で吊持すると共に、鉤状端部の掛止位置を支点として、ブリッジ防止手段１４を揺動自在に吊持する。他方、吊り棒１２は、下吊り棒２４を餌落下パイプ１１を貫挿させて、下端部の雄ねじ部２４ａに、それを受けナット２７を通して止めナット４２を螺着して起動部材１３を固着する。そして、ブリッジ防止手段１４は、第１および第２調整リング３５・４０の周縁を飼料ガイド部２１の内壁面２１ａに近接させ、その内壁面２１ａとの間に粒状飼料の粒径に合わせた僅かな間隙Ｄを開けてブリッジ盤３０を飼料ガイド部２１内に配設し（図５参照）、起動部材１３は、底皿１８上に配置する。
【００２２】
支持棒１５は、丸棒製で、図３および図４に示すように、一端棒部１５ａの端面に切れ込み４３を凹設し、反対の他端棒部１５ｂの端面にボルト頭部を溶接して外周に雄ねじ部４４を形成している。そこで、支持棒１５は、一端棒部１５ａを、餌量調節手段１６の蝶番４５を介してホッパ１０の円筒部２０に取り付ける一方、他端棒部１５ｂを、円筒部２０を貫通して餌量調節手段１６のハンドル４６に連結する。
【００２３】
餌量調節手段１６は、蝶番４５およびハンドル４６の他に、ガイド板４７、アイナットからなるロックナット４８を備える。蝶番４５は、公知の羽根蝶番を用い、中心の支点軸部４５ａを、ホッパ１０の円筒部２０の内壁面に、支持棒１５の横架高さ位置に合わせて横向きに配置して片側の羽根部４５ｂをねじ止めし、他側の羽根部４５ｃをホッパ１０内で上下方向に揺動自在に取り付ける。ハンドル４６は、Ｌ型をなし、縦長な把持部４６ａと横長なレバー部４６ｂとの間のコーナ部４６ｃに小穴の支点部Ｐ１を有した、てこ式ハンドルからなる。レバー部４６ｂには、やや横長に開けた作用穴４９を有し、先端には先細な針部４６ｄを設けてなる。ガイド板４７は、吊り棒１２と平行な縦向きに長いガイド穴５０を開ける一方、ガイド穴５０を間に挟んだ片側の板面に、飼料ガイド部２１の内壁面２１ａとブリッジ防止手段１４の外周間の間隙Ｄの隙間量を示す目盛５１を刻設し、他側にハンドル４６の支点部Ｐ１と対応する小穴の支点部Ｐ２を設けてなる。
【００２４】
そこで、餌量調節手段１６において、ガイド板４７は、ガイド穴５０が吊り棒１２と平行な縦向き状態で、蝶番４５と対向するホッパ１０の外壁面にねじ止めする。それから、支持棒１５は、切れ込み４３に蝶番４５の他側羽根部４５ｃを差し込んで、一端棒部１５ａを、ホッパ１０に対して上下、左右および前後に可動に蝶番４５に連結する一方、ボルトの雄ねじ部４４をホッパ１０の円筒部２０の貫通穴から、ガイド板４７のガイド穴５０を通して作用穴４９に遊嵌し、他端棒部１５ｂをハンドル４６に連結する。ハンドル４６は、作用穴４９に支持棒１５の雄ねじ部４４を遊嵌した状態で、両支点部Ｐ１・Ｐ２を合わせてガイド板４７に重ね、支点用ボルト５２とナット５３で、共通の支点部を中心として回動可能にホッパ１０の外周壁に組み付ける。そして、所望の餌送給量に応じた前記間隙Ｄの隙間量に合わせて、ハンドル４６の回動角度位置を設定してから、支持棒１５の雄ねじ部４４にロックナット４８を螺着してハンドル４６をホッパ１０の外壁面に締着し、組み立ててなる。餌量調節手段１６では、いま設定したハンドル４６の回動角度位置に応じて、針部４６ｄでガイド板４７上の目盛５１を指示し、所望の餌送給量に応じた前記間隙Ｄの隙間量を表示している。
【００２５】
従って、餌量調節手段１６では、組み立て時、支持棒１５は、切れ込み４３に蝶番４５の他側羽根部４５ｃを差し込んで、ホッパ１０に対して上下、左右および前後に可動に蝶番４５に連結した構成であるため、ホッパ１０に製造上の形状寸法に誤差があったり、歪などの変形を生じたり、ハンドル４６など部品の取付位置にズレがあったりしても、これら誤差や変形やズレを支持棒１５の上下、左右および前後の動きで吸収し、これにより、個々に異なるホッパの形状寸法の誤差や変形の程度に合わせて、現場でスムーズに且つ簡単に組立調整することができ、その結果、ホッパの形状寸法の誤差や変形状態や部品取付位置のズレ等に影響を受けることなく、簡単に精度よく組み立てることができる。
【００２６】
給水部１７は、図１に示すように、支持枠２２に組み付けて立設した給水パイプ５５の下端に給水器５６を接続する一方、ホッパ１０の円筒部２０の外壁面にウォーターコントロール５７を取り付け、予め水量を調整してから給水パイプ５５を通して給水器５６へ送水する構成になっている。そして、仔豚が給水器５６を銜えて、その作用杆５６ａを揺動させることによって飲水できるようになっている。
【００２７】
底皿１８は、中央部を円錐台状に隆起させてあり、飼料が中央部から流動して周辺部へ拡散し、食餌し易いようになっている。仕切枠１９は、餌落下パイプ１１と底皿１８の足部１８ａに固着し、給水器５６の設置間隔に合わせて間隔をあけて配設する。そして、仕切枠１９で区画した給餌空間内にて仔豚が争うことなく食餌し、又は個別に給水器５６から飲水できるようにしている。
【００２８】
さて、図示給餌器では、飼料として、仔豚等の家畜に対する栄養素など数々の点に配慮してつくられる自家製配合飼料を使用するものとする。例えば図示省略するが、おから・ビール粕等の粘性のあるものや、スナック菓子や、大きなチョコレートの固まりや、廃品パンなど、大小粒の不揃いな固形物を含んだ地場食用廃品を配合したものを発酵させて生成した発酵飼料で、湿り気のある滑りの悪い第１の飼料を使用する。或いは、例えば前記図１０に示したように、予め細かく砕いて配合した魚粉など顆粒状や粉状の餌ａや、予め熱処理を施して粒度を揃えたペレット等の粒状の餌や、トウモトコシ等の大粒な餌ｂなど、大小粒の不揃いな各種飼料を配合し、反対に、いずれも乾燥した比較的滑りの良い第２の飼料を使用する。
【００２９】
図示給餌器では、飼料供給時、開閉蓋を開けてホッパ１０の円筒部２０内に飼料を投入すると、それら飼料は、基本として、図５に示すように、飼料ガイド部２１内で内壁面２１ａとブリッジ防止手段１４の外周間の間隙Ｄを流れ落ち、更に餌落下パイプ１１と起動部材１３内を通って落下すると共に、途中で餌排出口２５から排出されて底皿１８上に送り出され、家畜、例えば仔豚へと供給されるようになっている。このとき、使用する飼料が、大小粒の不揃いで湿った滑りの悪い第１の飼料であっても、図示給餌器では、ブリッジを発生し易いホッパ１０の飼料ガイド部２１内に、その飼料ガイド部２１に合わせてブリッジ盤３０が上下逆円錐台状をなすブリッジ防止手段１４を配設しているため、ホッパ１０内の何処にも飼料のブリッジを発生させる余地がなく、滑りの悪い第１の飼料でも、すべて残らず、飼料ガイド部２１の内壁面２１ａとブリッジ防止手段１４の外周間の間隙Ｄを通して流れ落して底皿１８上へと送り出すことができる。
【００３０】
しかも、図示給餌器では、飼料供給時、仔豚が食餌中に鼻や口で触って起動部材１３を押すと、それに従い、吊り棒１２の下吊り棒２４が、図６に示すように、上下の鉤状端部の掛止位置ｔを支点として、ブリッジ防止手段１４と一体に振子のように揺動する。すると、仔豚が食餌するとき、即ち、ブリッジ防止手段１４を揺すったときにだけ、飼料は飼料ガイド部２１の内壁面２１ａ間の間隙Ｄを流れ落ちて仔豚自身の下へ、無駄なく送り出すことができる。このとき、ブリッジ防止手段１４は、ブリッジ盤３０の上方に、湿った滑りの悪い第１飼料の凝集飼料層（ブリッジ）が発生していても、揺れ動くブリッジ盤３０で、凝集飼料層を持ち上げて左右に揺すりながら破壊し、これによって、飼料を流動させて、飼料ガイド部２１の内壁面２１ａとブリッジ防止手段１４の外周間の間隙Ｄを通して流れ落して底皿１８上へ送り出すことができる。このように、ブリッジが発生し易いホッパ１０の飼料ガイド部２１内に同じ上下逆円錐台状のブリッジ盤３０を配設したことと、そのブリッジ盤３０を揺すってブリッジを破壊しながら飼料を流れ落す相乗効果により、図示給餌器では、使用飼料が、たとえブリッジを発生し易い湿った滑りの悪い餌であったとしても、そのような飼料の如何に関わりなく、飼料ガイド部２１内でブリッジ状に残留させず、すべて、下方の底皿１８上へと落下させてブリッジの発生を完全に防止することができる。
【００３１】
他方、図示給餌器では、ブリッジ防止手段１４は、外周縁に切欠き３１・３２を周方向にずらして設けた上下調整リング３５・４０の外周縁を、それぞれ飼料ガイド部２１の内壁面２１ａに近接させ、その内壁面２１ａとの間に、粒状飼料の粒径に合わせた僅かな間隙Ｄを開けて同じ上下円錐台状をなすブリッジ盤３０を、飼料ガイド部２１内に配設するため、ホッパ１０内に投入した飼料が、大小粒の不揃いで乾燥した滑りの良い第２の飼料であっても、その不揃いな飼料が飼料ガイド部２１を通るとき、小粒な餌ａの一部は、途中で止まることなく、飼料ガイド部２１の内壁面２１ａとブリッジ防止手段１４間の間隙Ｄを一気にすり抜けて流れ落ち、餌落下パイプ１１を通って落下する一方、他の小粒な餌や大粒の餌ｂの大半は、図７（イ）に示すように、ブリッジ盤３０の天板部３０ａから滑り落ちると、第１調整リング３５の切欠き３１間に有した鍔部３５ａ上にいったん載ってから、同図（ロ）に示すように、切欠き３１を通って下方へ滑り落ち、次いで、第２調整リング４０の切欠き３２間に有した鍔部４０ａ上に載っていったん止まってから、同図（ハ）に示すように更に下方へ滑り落ち、そこで初めて餌落下パイプ１１を通って落下する。また、ブリッジ防止手段１４は、下方の第２調整リング４０に上方の第１調整リング３５の切欠き３１の数より少ない数の切欠き３２を設け、切欠き３２間の鍔部４０ａをより長く形成しているため、図７（Ａ）に示すように、例えば小粒な餌ａの飼料群がブリッジ盤３０の天板部３０ａから、第１調整リング３５の切欠き３１を通って滑り落ちると、その大半は、第２調整リング４０の切欠き３２間に有した鍔部４０ａ上にいったん載って止まってから下方へ滑り落ち、それから餌落下パイプ１１を通って落下する。その結果、図示給餌器では、以上のようにホッパ１０内に投入した飼料が、例え大小粒の不揃いな滑りやすい餌であっても、そのような飼料の如何に関わりなく、それら不揃いな飼料が飼料ガイド部２１を流れ落ちるとき、大半は、一気に流れ落ちるのではなく、ブリッジ防止手段１４の調整リング３５・４０で落下速度を調整して遅らせることによって、下方の底皿１８へ送り出す餌送給量を適量に調整することができる。
【００３２】
しかも、図示給餌器において、ブリッジ防止手段１４は、図５でも示すように、上下の調整リング３５・４０を飼料ガイド部２１の内壁面２１ａに近接させ、その内壁面２１ａに合わせて同じ上下逆円錐台状のブリッジ盤３０を飼料ガイド部２１に配設するため、ブリッジ防止手段１４の下方空間、餌落下パイプ１１の内部空間、起動部材１３の内部空間には、飼料が充満されることなく、常に空気層Ｅが形成され、この空気層Ｅにより、湿気が餌排出口２５や起動部材１３下端の餌出口を通って上昇しホッパ１０内へ侵入するのを遮断し、これによって、夜間等の間に湿気が原因で飼料がホッパ１０や餌落下パイプ１１内で膨張して起動部材１３下端の餌出口近傍で詰まるのを防止する。その結果、図示給餌器において、ホッパ１０内の飼料は、途中で詰まって滞ることなく、餌落下パイプ１１を通って落下して底皿１８上へ円滑に送り出すことができ、湿気による餌詰まりが原因で給餌不能になるのを防止することもできる。
【００３３】
一方、図示給餌器では、使用する飼料を変更したとき、変更飼料中に配合された粒状飼料の粒径サイズにも変更があると、餌量調節手段１６を操作し、変更粒径サイズに合わせて、飼料ガイド部２１の内壁面２１ａとブリッジ防止手段１４の外周間の前記間隙Ｄの隙間量を微調整し、これによって、底皿１８へ送り出す飼料の送給量を微調節する。餌量調節手段１６による微調節時は、図３に示すように、ロックナット４８によるハンドル４６の締付けを緩めてから、把持部４６ａを持って、針部４６ｄが指示するガイド板４７上の目盛５１を見ながら、ハンドル４６を支点部Ｐ１・Ｐ２を支点として回動する。ハンドル４６を回動すると、その回動量に応じて、てこの原理に基づき、支持棒１５が縦向きに長いガイド穴５０の案内で連続的に上下移動し、これに従って、吊り棒１２と一体にブリッジ防止手段１４を上下に微動させて前記間隙Ｄの隙間量を微調整する。この調整後は、ロックナット４８を支持棒１５の雄ねじ部４４に逆向きに螺合し、改めてハンドル４６をホッパ１０に締め付けて固持し、前記間隙Ｄの隙間量の微調整を終える。
【００３４】
従って、餌量調節手段１６では、ハンドル４６を回動すると、その回動量に応じて、てこの原理に基づき、支持棒１５は縦向きに長いガイド穴５０の案内で連続的に上下移動する構成であるため、軽いハンドル操作で、前記間隙Ｄの隙間量を無制限に微調整することができ、その結果、飼料の粒径の違いに応じて、前記間隙Ｄの隙間量を自由に微妙に変えて調節することができる。
【００３５】
そこで、図示給餌器では、飼料供給中に、ブリッジ防止手段１４の調整リング３５・４０で飼料ガイド部２１を流れ落ちる飼料の落下速度を調整して遅らせ、底皿１８へ送り出す餌送給量を事前に調整してから、底皿１８上へ流れ落すのであって、従来の如く飼料ガイド部２１を飼料がすべて一気に滑るように流れ落ちることがないため、従来の如く餌量調節手段の操作で餌排出口の開口を狭めて餌送給量を少な目に調節すると、餌落下パイプ内に大粒の餌が残って仔豚へ給餌不足になるような問題がなく、反対に、餌排出口の開口を大粒の飼料に合わせて広くして餌送給量を多目に調節すると、餌排出口から飼料が零れ出て、無駄に出過ぎしまうような問題もなく、結果として、使用する飼料の大小粒の不揃い度や滑りの良し悪しなど、飼料の如何に関わらず、底皿１８へ送り出す飼料の送給量を自由に且つ適確に微調整することができる。
【図面の簡単な説明】
【００３６】
【図１】本発明の一例である家畜用給餌器を示す斜視図である。
【図２】ブリッジ防止手段を、吊り棒、餌落下パイプ、起動部材と共に示す分解斜視図である。
【図３】餌量調節手段を含むホッパの上部側の構造を示す斜視図である。
【図４】餌量調節手段の分解斜視図である。
【図５】飼料ガイド部の内壁面とブリッジ防止手段の外周間の間隙を飼料が流れ落ちる状態を示す概略正面図である。
【図６】ホッパの飼料ガイド部内でブリッジ防止手段が左右に揺れ動く状態を示す概略正面図である。
【図７】（イ）・（ロ）・（ハ）は、大粒な飼料をブリッジ防止手段の調整リングで受けて流れ落ちる速度を調整する状態を段階的に分けて示す概略斜視図、（Ａ）は、小粒な飼料群を下方の調整リングで受けて流れ落ちる速度を調整する状態を示す概略斜視図である。
【図８】従来の家畜用給餌器を示す斜視図である。
【図９】従来の家畜用給餌器において、ブリッジ防止作用を説明する縦断面図である。
【図１０】大小粒の不揃いな自家配合飼料の一例を示す概要図である。
【図１１】（Ａ）は、従来の家畜用給餌器において、餌排出口を狭めて餌送給量を調整したときに給餌不足になった状態を示す縦断面図、（Ｂ）は、餌排出口を広めて餌送給量を調整したときに飼料の出過ぎ状態を示す縦断面図である。
【符号の説明】
【００３７】
Ｄ                間隙
ａ・ｂ            飼料
１０              ホッパ
１１              餌落下パイプ
１２              吊り棒
１３              起動部材
１４              ブリッジ防止手段
１５              支持棒
１６              餌量調節手段
１８              底皿
２１              飼料ガイド部
２１ａ            内壁面
２５              餌排出口
３０              ブリッジ盤
３１・３２        切欠き
３５              第１調整リング
４０              第２調整リング
【図１】
2008263786.tif 000003
【図２】
2008263786.tif 000004
【図３】
2008263786.tif 000005
【図４】
2008263786.tif 000006
【図５】
2008263786.tif 000007
【図６】
2008263786.tif 000008
【図７】
2008263786.tif 000009
【図８】
2008263786.tif 000010
【図９】
2008263786.tif 000011
【図１０】
2008263786.tif 000012
【図１１】
2008263786.tif 000013